(57)【特許請求の範囲】
【請求項１】
機器本体と、前記機器本体に回動可能に保持された蓋と、前記本体の一部で遊動保持され前記蓋とは回動可能に保持されたリンクと、前記リンクの動きに連動して所定方向に可動する可動部材と、前記可動部材が前記蓋の開動作に連動して可動した際に押圧されるスイッチと、前記機器本体の外側で前記可動部材に固定されかつ前記機器本体の内側で前記リンクのカム形状に摺動自在に嵌合している第１のシャフトとを備え、
前記リンクは前記機器本体の内側に配され、前記前記可動部材と前記スイッチとを前記機器本体の外側に配したことを特徴とするカセットテープの取り出し機構。
【発明の詳細な説明】
【０００１】
【発明の属する技術分野】
本発明は、カメラ一体型磁気記録再生装置に使用して有効なカセットテープの取り出し機構に関するものである。
【０００２】
【従来の技術】
近年、カメラ一体型磁気記録再生装置（以降ビデオカメラと呼称）は小型化の要求が大きく、内蔵されるカセットテープを用いた磁気記録再生メカニズム（以降メカニズムと呼称）に於いても、テープの挿入後に分割された二つのブロックを可動させ、前記メカニズムの体積を収縮させる構造が用いられている。その場合、前記ビデオカメラの筐体部には、前記メカニズムの可動方向に対し、その動きを阻害しない回動可能な蓋などを設ける構成が用いられ、前記カセットテープの取り出しの際には、前記蓋が開いた状態で前記メカニズムが可動する様、お互いの動きを連動させる必要がある。
【０００３】
以下に従来のカセットテープの取り出し機構について２つの構成例を説明する。
【０００４】
図３（ａ）は従来のカセットテープの取り出し機構における蓋の裏側に取り出しスイッチを配置した構成の断面図である。図３（ｂ）は蓋を開きメカニズムを矢印Ｆの方向に可動させた状態の断面図である。
【０００５】
図３において、１はビデオカメラ本体、２はカセットテープ３を挿入可能な蓋、４はカセットテープ３を取り出し駆動するメカニズム、５はカセットテープ３を取り出す際に操作する取り出しスイッチ、１４はメカニズム４を駆動する回路が実装されたプリント基板、１５はプリント基板１４上に実装されたコネクタ、１６はコネクタ１５と取り出しスイッチ５とを接続するフレキシブル線材である。
【０００６】
図４（ａ）はビデオカメラ本体と蓋と回動可能にビデオカメラ本体１に遊動可能に保持されたリンク６で構成され、蓋を開いた状態にてリンクの曲げ部が取り出しスイッチを押す構造の断面図である。図４（ｂ）は図４（ａ）を矢印Ａの方向から見た断面図である。本構成では取り出しスイッチ５が蓋２の裏側に配置されている為、カセットテープ取り出し時には蓋２を開いた後、取り出しスイッチ５を押す事となり、取り出しスイッチ５が押された後のメカニズム４は蓋２が開いた状態にて可動する事となる。
【０００７】
図４（ｃ）は蓋１を開き、メカニズム５を矢印Ｆの方向に可動させた状態の断面図である。図４（ｄ）は図４（ｃ）を矢印Ｂの方向から見た断面図である。本構成では蓋２と連動したリンク６が、蓋２の開いた状態で取り出しスイッチ５を押すので、取り出しスイッチ５が押された後のメカニズム４は蓋２が開いた状態で可動する事となる。
【０００８】
【発明が解決しようとする課題】
しかしながら、まず図３の構成では蓋２の内部に取り出しスイッチ５の構造を設けるため、蓋２の厚さＸは取り出しスイッチ５の構造分だけ大きくなり、また回動可能な蓋２とビデオカメラ本体１とを電気的に接続させるためには、フレキシブル線材１６などで本体プリント基板６と接続する必要がある。
【０００９】
また、図４の構成ではリンク６と取り出しスイッチ５をメカニズム４に対して並列にレイアウトしている為、ビデオカメラ本体１とメカニズム４の空間Ｙが狭い場合には構成することができないという問題点を有していた。
【００１０】
本発明は上記従来の問題点を解決するもので、ビデオカメラ小型化に伴う限られた条件下でも、カセット取り出し時の蓋とメカニズムの動作の連動を可能とする、カセットテープの取り出し機構である。
【００１１】
【課題を解決するための手段】
上記課題を解決するために本発明のカセット取り出し機構は、機器本体と、前記機器本体に回動可能に保持された蓋と、前記本体の一部で遊動保持され前記蓋とは回動可能に保持されたリンクと、前記リンクの動きに連動して所定方向に可動する可動部材と、前記可動部材が前記蓋の開動作に連動して可動した際に押圧されるスイッチと、前記機器本体の外側で前記可動部材に固定されかつ前記機器本体の内側で前記リンクのカム形状に摺動自在に嵌合している第１のシャフトとを備え、前記リンクは前記機器本体の内側に配され、前記前記可動部材と前記スイッチとを前記機器本体の外側に配したことを特徴とするものである。
【００１２】
この構成によって、取り出しスイッチをメカニズムとビデオカメラ本体との空間外に配置する事が可能となり、メカニズムとビデオカメラ本体の空間Ｙを狭くすることが可能となる。
【００１３】
【発明の実施の形態】
本発明の請求項１記載のカセットテープ取り出し機構は、機器本体と、前記機器本体に回動可能に保持された蓋と、前記本体の一部で遊動保持され前記蓋とは回動可能に保持されたリンクと、前記リンクの動きに連動して所定方向に可動する可動部材と、前記可動部材が前記蓋の開動作に連動して可動した際に押圧されるスイッチと、前記機器本体の外側で前記可動部材に固定されかつ前記機器本体の内側で前記リンクのカム形状に摺動自在に嵌合している第１のシャフトとを備え、前記リンクは前記機器本体の内側に配され、前記前記可動部材と前記スイッチとを前記機器本体の外側に配したものであり、この構成によって、取り出しスイッチをメカニズムとビデオカメラ本体との空間外に配置する事が可能となり、メカニズムとビデオカメラ本体の空間Ｙを狭くすることが可能となるものである。
【００１４】
以下、本発明の実施の形態について図面を用いて説明する。
（実施の形態）
図１（ａ）は本実施の形態のカセットテープ取り出し機構を備えたビデオカメラの構成を示す側面図である。図１（ａ）において、１はビデオカメラ本体、２はカセットテープ３を挿入可能な蓋、４はカセットテープ３を取り出し駆動するメカニズム、５はカセットテープ３を取り出す際に操作する取り出しスイッチ、６はリンク、８は第２の金具、７は第２の金具８に対して矢印Ｄ方向に摺動可能に保持された第１の金具、９は第１の金具７を所定方向へ付勢するバネ、１３は第２の金具８をビデオカメラ本体１に固定するビスである。蓋２とリンク６はビデオカメラ本体１の背後に隠れているので点線で表示してある。第１の金具７は第２の金具８に対して矢印Ｄの方向に摺動可能に保持され、またバネ９によって矢印Ｄの方向に付勢されている。また、第１の金具７の一部には取り出しスイッチ５を押せるように、折り曲げ形状が設けてある。第２の金具８はビス１３によってビデオカメラ本体１に締結されている。
【００１５】
図１（ｂ）は図１（ａ）を矢印Ａの方向から見た断面図である。図１（ｂ）において、リンク６は第２のシャフト１１によってビデオカメラ本体１に遊動可能に保持され、第３のシャフト１２によって蓋２に回動可能に保持されている。
【００１６】
図１（ｃ）は図１（ａ）を矢印Ｂ方向から見た断面図である。第１のシャフト１０は第１の金具７に固定されており、リンク６のカム形状に対して摺動可能な状態で嵌合している。図１（ｄ）は図１（ａ）を矢印Ｃの方向から見た断面図である。
【００１７】
以上のように構成された本実施の形態のカセットテープの取り出し機構について、図２（ａ）を用いてその動作を説明する。
【００１８】
図２（ａ）は蓋２を矢印Ｅの方向に回動させた図面である。蓋２を回動させると蓋２に第３のシャフト１２にて回動可能に保持されているリンク６も回動方向に追従して移動する。また、リンク６は本体１に第２のシャフト１１にて遊動可能に保持されているので、リンク６は第２のシャフト１１に対して設けてある長穴開口部に沿っても移動する。リンク６のカム形状は第１のシャフト１０と摺動可能な状態で嵌合しているので、リンク６の移動に伴い嵌合点も移動していく。蓋２が閉まっているときの嵌合位置Ｖは蓋２を回動することによって移動し、蓋２を本図状態まで回動させた時点では、バネ９によって矢印Ｄの方向に付勢されている作用により嵌合位置Ｗまで移動する。第１のシャフト１０を固定している第１の金具７も第１のシャフト１０の動きに追随して移動するので、第１の金具７の折り曲げ部が取り出しスイッチ５を押し、メカニズム４が矢印Ｆの方向に可動する。そして、カセットテープ３を取り出すことができる。
【００１９】
以上のように本実施の形態をとれば、ビデオカメラ本体１とメカニズム４との空間Ｚの外部に取り出しスイッチ５を配置して、蓋２とメカニズム４の動作の連動した構成にすることにより、空間Ｚの間隔を小さくしビデオカメラの小型化が可能となる。
【００２０】
【発明の効果】
以上のように本発明は、ビデオカメラ小型化に伴う省スペースの条件下でも、カセット取り出し時の蓋とメカニズム動作の連動を可能としたカセットテープの取り出し機構の構成を可能とすることができる。
【図面の簡単な説明】
【図１】（ａ）本発明の実施の形態のカセットテープ取り出し機構の蓋が閉まった状態を示す側面図
（ｂ）本発明の実施の形態のカセットテープ取り出し機構の蓋が閉まった状態を示す要部正面図
（ｃ）本発明の実施の形態のカセットテープ取り出し機構の蓋が閉まった状態を示す要部側面図
（ｄ）本発明の実施の形態のカセットテープ取り出し機構の蓋が閉まった状態を示す要部側面図
【図２】（ａ）本発明の実施の形態のカセットテープ取り出し機構の蓋を開いた状態を示す側面図
（ｂ）本発明の実施の形態のカセットテープ取り出し機構の蓋を開いた状態を示す要部正面図
（ｃ）本発明の実施の形態のカセットテープ取り出し機構の蓋を開いた状態を示す要部側面図
（ｄ）本発明の実施の形態のカセットテープ取り出し機構の蓋を開いた状態を示す要部側面図
【図３】従来のカセットテープ取り出し機構の第１の構成を示す断面図
【図４】従来のカセットテープ取り出し機構の第２の構成を示す断面図
【符号の説明】
１  ビデオカメラ本体
２  蓋
３  カセットテープ
４  メカニズム
５  取り出しスイッチ
６  リンク
７  第１の金具
８  第２の金具
９  バネ
１０  第１のシャフト
１１  第２のシャフト
１２  第３のシャフト
１３  ビス
【図１】
0003580121.tif 000002
【図２】
0003580121.tif 000003
【図３】
0003580121.tif 000004
【図４】
0003580121.tif 000005